(57)【要約】      （修正有）【課題】モジュール式パッケージングの配線及び端子挿入を含むケーブルの設置ネジは、配線及び端子の結合を解除又は変更するためにネジの取り外しが必要になる。ネジの取り外しは、機能モジュール及びソリッドステートリレーの分離、並びにネジを完全に取り外すために機能モジュールの分離を必要とする。こうした再度の配線工程が容易で時間を要しないモジュールを提供する。【解決手段】モジュール式パッケージングはソリッドステートリレー及び機能モジュールを含み、機能モジュールはプリント回路基板及び昇降ネジ４００を含む筐体２１０，２２０を備える。昇降ネジ４００は、雄ネジ山４１２を有する第１の端部４１０及び雄ネジ山４１２を有する第２の端部を備え、ここで昇降ネジ４００は、筐体２１０，２２０内の第１の位置と第２の位置との間で選択的に変更されてもよい。【選択図】図２
2017216223.tif 000002
【特許請求の範囲】
【請求項１】
外部筐体を備えるソリッドステートリレーであって、前記筐体は凹所を略画定し且つ雌ネジ山を有するボアを更に画定する第１の部分、及び前記第１の部分に結合され且つ雌ネジ山を有する開口を画定する第２の部分を備え、前記外部筐体は少なくとも第１の入力端子及び少なくとも第１の出力端子を有する第１のプリント回路基板を囲むソリッドステートリレーと、
前記ソリッドステートリレーに取り外し可能に結合される少なくとも１つの機能モジュールと、
少なくとも第１の昇降ネジであって、前記昇降ネジは第１の端部及び第２の端部を有し、前記第１の端部は第１の直径及び前記ボアの前記雌ネジ山と適合する第１の雄ネジ山を備え、前記第２の端部は第２の直径及び前記開口の前記雌ネジ山と適合する第２の雄ネジ山を備える第１の昇降ネジと
を備え、
前記昇降ネジは、前記昇降ネジの前記第１の雄ネジ山が前記ボアの前記雌ネジ山と係合する第１の位置と、前記昇降ネジの前記第２の雄ネジ山が前記開口の前記雌ネジ山と係合する第２の位置との間で選択的に変更されるように構成される、モジュール式装置。
【請求項２】
前記昇降ネジの前記第１の位置は、前記筐体の前記第１の部分から前記筐体の前記第２の部分を分離することなく、ケーブルの設置のために前記昇降ネジの前記第１の端部と前記筐体との間に十分な空間を提供する、請求項１に記載のモジュール式装置。
【請求項３】
前記昇降ネジの前記第１の位置は、端子が設置又は置換され得るように、前記昇降ネジの前記第１の端部と前記筐体との間に十分な空間を提供する、請求項２に記載のモジュール式装置。
【請求項４】
前記ソリッドステートリレー及び機能モジュールは、機械的保持機構により取り外し可能に結合される、請求項１に記載のモジュール式装置。
【請求項５】
前記昇降ネジの前記第１の雄ネジ山は８−３２ＵＮＣ規格に設計され、前記昇降ネジの前記第２の雄ネジ山は1/4−４０ＵＮＳ規格に設計される、請求項３に記載のモジュール式装置。
【請求項６】
前記開口の前記雌ネジ山及び前記ボアの前記雌ネジ山は、１インチごとに最大で１００分の１インチまで変形されることが可能である、請求項５に記載のモジュール式装置。
【請求項７】
前記ボアの前記雌ネジ山は、前記ボアの長さの一部にのみ及ぶ、請求項１に記載のモジュール式装置。
【請求項８】
前記開口の前記雌ネジ山は、前記開口の長さの一部にのみ及ぶ、請求項１に記載のモジュール式装置。
【請求項９】
前記モジュール式装置は、プラスチック材料、樹脂、プラスチック複合材、又はこれらの結合を含む、請求項１に記載のモジュール式装置。
【請求項１０】
前記モジュール式装置は、ＩＰ２０の国際保護規格に準拠する、請求項１に記載のモジュール式装置。
【請求項１１】
前記ソリッドステートリレーの筐体に囲まれている第２のプリント回路基板と、
前記第１のプリント回路基板と前記第２のプリント回路基板との間の電気伝導性を選択的に確立するように構成されるバネ作動感知装置と
を更に備える、請求項１に記載のモジュール式装置。
【請求項１２】
可視的表示器及び電圧認識装置を更に備え、前記電圧認識装置は電圧の入力範囲を受信し、前記ソリッドステートリレーの端子間の実電圧を認識し、前記実電圧が前記入力範囲内である場合、第１の値を有する信号を前記可視的表示器に送信し、又は前記実電圧が前記入力範囲内ではない場合、第２の値を有する信号を前記可視的表示器に送信するように構成される、請求項１に記載のモジュール式装置。
【請求項１３】
前記可視的表示器は、前記第１の値を有する信号を受信すると第１の表示を発し、前記第２の値を有する信号を受信すると第２の表示を発するように構成される、請求項１２に記載のモジュール式装置。
【請求項１４】
前記可視的表示器は発光ダイオードであり、前記第１の表示は緑の照明であり、前記第２の表示は赤の照明である、請求項１３に記載のモジュール式装置。
【請求項１５】
外部筐体を備えるソリッドステートリレーであって、前記筐体は凹所を略画定し且つ雌ネジ山を有するボアを更に画定する第１の部分、及び前記第１の部分に結合され且つ雌ネジ山を有する開口を画定する第２の部分を備え、前記ソリッドステートリレーの筐体は少なくとも第１の入力端子及び少なくとも第１の出力端子を有する第１のプリント回路基板を囲むソリッドステートリレーと、
前記ソリッドステートリレーに取り外し可能に結合される少なくとも１つの機能モジュールと、
少なくとも１つの昇降ネジであって、前記昇降ネジの第１の端部が前記筐体の前記第１の部分と係合する第１の位置と、前記昇降ネジの第２の端部が前記筐体の前記第２の部分と係合する第２の位置との間で選択的に変更されるように構成される昇降ネジと
を備え、
前記昇降ネジの前記第１の位置は、ケーブルの設置のために前記昇降ネジの前記第２の端部と前記筐体との間に十分な空間を提供する、モジュール式装置。
【請求項１６】
前記ケーブルの設置は、端子の設置又は取り外しを含む、請求項１５に記載のモジュール式装置。
【請求項１７】
前記昇降ネジの前記第１の端部の第１のネジ山を受け入れるように適合する雌ネジ山を有するボア、及び前記昇降ネジの前記第２の端部の第２のネジ山を受け入れるように適合する雌ネジ山を有する開口
を更に備える、請求項１５に記載のモジュール式装置。
【請求項１８】
前記機能モジュールの筐体に囲まれている第２のプリント回路基板と、
前記第１のプリント回路基板と前記第２のプリント回路基板との間の電気伝導性を選択的に確立するように構成されるバネ作動感知装置と
を更に備える、請求項１５に記載のモジュール式装置。
【請求項１９】
可視的表示器及び電圧認識装置を更に備え、前記電圧認識装置は電圧の入力範囲を受信し、前記ソリッドステートリレーの端子間の実電圧を認識し、前記実電圧が前記入力範囲内である場合、第１の信号を前記可視的表示器に送信し、又は前記実電圧が前記入力範囲内ではない場合、第２の信号を前記可視的表示器に送信するように構成される、請求項１５に記載のモジュール式装置。
【請求項２０】
前記可視的表示器は、第１の値を有する信号を受信すると第１の表示を発し、第２の値を有する信号を受信すると第２の表示を発するように構成される、請求項１９に記載のモジュール式装置。
【発明の詳細な説明】
【技術分野】
【０００１】
一般的には、本開示は、例えば、ソリッドステートリレー及び端子間で相互接続される１つ以上の機能モジュール等の１つ以上の機能モジュールを含むモジュール式パッケージング装置に関する。
【背景技術】
【０００２】
モジュール式パッケージングの１つの難点は、配線及び端子挿入を含むケーブルの設置である。ネジは、配線及び端子の統合を実装し且つ固定するために使用される場合がある。しかしながら、配線及び端子の結合を解除又は変更するためにこうしたネジの取り外しが必要になる。ネジの取り外しは、機能モジュール及びソリッドステートリレーの分離、並びにネジを完全に取り外すために機能モジュールの分離を必要とする。こうしたステップは、再度の配線工程を煩雑で退屈なものにする。
【発明の概要】
【０００３】
この概要は、以下の詳細な説明の中で更に記載されている単純な形態で本開示に関連する一般概念の一部への導入を提供する。この概要は、本開示の重要な特徴又は本質的な特徴を特定することを意図していない。
【０００４】
一部の例では、モジュール式装置は、一般的には、機能モジュール及びソリッドステートリレーを含んでもよい。異なる例では、ソリッドステートリレーは、略矩形の寸法、ホッケーパック型リレー、及び様々な他の形状及びサイズの組み合わせを含む異なる形状を採用してもよい。一部の例では、機能モジュールは、プラスチック、樹脂、又はプラスチック複合材料から成ってもよい。機能モジュールは、プリント回路基板及び少なくとも第１の昇降ネジを囲む筐体を含んでもよい。機能モジュールは、ボア及び開口を更に画定してもよい。昇降ネジは、第１の直径及び第１の雄ネジ山を有する第１の端部と第２の直径及び第２の雄ネジ山を有する第２の端部とを有してもよい。昇降ネジは、ネジの第１の端部が開口内で係合する第１の位置とネジの第２の端部がボア内で係合する第２の位置との間で選択的に変更されてもよい。
【０００５】
一部の例では、ネジが第１の位置で係合すると、ケーブルが開口内に挿入され、筐体を分解する必要無しに又はソリッドステートリレーから機能モジュールを分離せずに設置され得るように、ネジの端部とモジュールとの間に十分な空間を提供する。一部の例では、この空間は、少なくとも第１の端子が設置又は置換されるのに十分なものであろう。
【０００６】
一部の例では、モジュール式装置は、一般的には、ソリッドステートリレー及び少なくとも１つの機能モジュールを含んでもよい。機能モジュールは、一般的には、第１の部分及び第１の部分と結合する第２の部分を有する外部筐体を含んでもよい。筐体は、第１のプリント回路基板及び少なくとも第１の昇降ネジを囲んでもよく、昇降ネジは第１の端部及び第２の端部を有してもよい。一部の例では、第１の端部は第１のピッチ距離を有する第１のネジ山を有してもよく、第２の端部は第２のピッチ距離を有する第２のネジ山を有してもよい。所定の例では、昇降ネジは、昇降ネジの第１の端部が筐体の第１の部分と係合する第１の位置と、昇降ネジの第２の端部が筐体の第２の部分と係合する第２の位置との間で選択的に変更されるように構成されてもよい。一部の例では、昇降ネジの第１の位置が、ケーブルの設置又は置換のために昇降ネジの第２の端部と筐体との間に十分な空間を提供してもよい。
【０００７】
一部の例では、機能モジュールは、少なくとも第１のプリント回路基板及び第２のプリント回路基板を含んでもよい。機能モジュールは、プリント回路基板間に電気接続を選択的に確立することが可能な感知装置を含んでもよい。一部の例では、この装置は、バネ作動式であり、バネを圧縮するための圧力が加えられると電気接続を提供することが可能であってもよい。
【０００８】
一部の例では、機能モジュールは、視覚的指示及び／又は電圧認識装置を含んでもよい。所定の例では、電圧認識装置は電圧の入力範囲を受信してもよく、ソリッドステートリレーの端子間の実電圧がその入力範囲内に有るかどうかを決定してもよい。一部の例では、機能モジュールは、電圧が入力範囲内に有る場合に所定の信号を又は電圧が入力範囲内に無い場合に異なる信号を可視的表示器に表示させる信号を可視的表示器に送信してもよい。一部の例では、可視的表示器は、その受信する信号に基づいて表示を提供するであろう。所定の例では、表示はＬＥＤディスプレイであってもよく、電圧認識装置から受信した信号に応じた所定の色であってもよい。
【図面の簡単な説明】
【０００９】
本開示は、例示であり、添付の図面には限定されない。図面の中で、同様の参照番号は同様の要素を示している。
【図１】機能モジュールがソリッドステートリレーから分離されている例示のモジュール式パッケージングの斜視図である。
【図２】第１の位置に有る昇降ネジを示す例示のソリッドステートリレーの側面図である。
【図３】第２の位置に有る昇降ネジを示す例示のソリッドステートリレーの側面図である。
【図４】昇降ネジが取り外されている例示のソリッドステートリレーの側面図である。
【図５】例示の昇降ネジの実施形態の側面図である。
【図６】コンポーネントが分離されている例示のモジュール式パッケージングの斜視図である。
【図７】筐体の外部が取り外されている例示のモジュール式装置の斜視図である。
【図８】両方が第１の位置に示されている第１の昇降ネジ及び第２の昇降ネジを有する例示のソリッドステートリレーの側面図である。
【図９】リレーを有する別の例示のモジュール式パッケージングの斜視図である。
【図１０】異なる位置に有る２つの昇降ネジを示す別の例示のモジュール式パッケージングの側面図である。
【図１１】コンポーネントが分離されている別の例示のモジュール式パッケージングの斜視図である。
【００１０】
更に、図面は単一の実施形態の異なるコンポーネントのスケールを示してもよいが、開示された実施形態はその特定のスケールに限定されないことが理解されるべきである。
【発明を実施するための形態】
【００１１】
以下の説明は限定の意味に解釈されるべきではなく、単に例示的な実施形態を説明するためのものである。本明細書を通じて「一実施形態」、「実施形態」、「一部の実施形態」、「一形態」、「一例」、「例示」又は類似の言語への参照は、実施形態に関して記載された特定の機能、構造又は特徴が本開示の少なくとも１つの実施形態に含まれることを意味している。従って、本明細書を通じて「一実施形態において」、「実施形態において」、「一部の実施形態において」、「一形態において」、「別の形態において」、「例示において」、「一例において」、及び類似の言語の表現の出現は、同じ実施形態を参照してもよく、及び／又は別の又は代替的な実施形態を参照してもよい。更に、記載された本開示の機能、構造又は特徴は、１つ以上の実施形態において任意の適切なやり方で組み合わされてもよい。
【００１２】
様々な例示のモジュール式装置の以下の記載において、その一部を形成する添付の図面が参照される。また、図面には、例示として本開示の態様が実施され得る様々な例示の構造及び環境が示されている。本開示の範囲から逸脱することなく、他の構造及び環境が利用され得ること、及び詳細に記載された構造及び方法からの構造的及び機能的修正が行われ得ることが理解されるべきである。
【００１３】
図１は、ソリッドステートリレー２０１（ＳＳＲ）、機能モジュール２０２、及び熱ヒートシンク装置として機能する熱出力散逸装置３００を含む例示的なモジュール式パッケージング装置１００を示す。機能モジュール２０２は、ＳＳＲ２０１に取り外し可能に結合され、機能モジュール結合ＳＳＲ２００をもたらしてもよい。ＳＳＲ２０１は、一般的には、任意のサイズ又は形状で画定されてもよい。異なる実施形態では、ＳＳＲ２０１は、一般的には、矩形、円形、円筒状、円錘状、又は任意の他の形状であってもよい。一部の例では、ＳＳＲ２０１の幅は、約１０ｍｍから約３０ｍｍを含む範囲内であってもよい。例えば、例示のＳＳＲ２０１の幅は、２２．１ｍｍ及び２２．９ｍｍの中であってもよいが、他の幅も可能である。一部の実施形態では、幅は２０ｍｍよりも大きくてもよいが、他の実施形態では、幅は２３ｍｍよりも小さくてもよい。異なる実施形態は、所定のサイズ及び形状を有するＳＳＲ２０１と所定のサイズ及び形状を有する機能モジュール２０２の異なる組み合わせを含んでもよい。
【００１４】
機能モジュール２０２は、一般的には、任意のサイズ又は形状で定義されてもよい。異なる実施形態では、機能モジュール２０２は、一般的には、矩形、円形、円筒状、円錘状、又は任意の他の形状であってもよい。出力散逸装置３００は、一般的には、ソリッドステートリレーの電力出力、形状、サイズ、及び／又は他の特性に応じた任意のサイズ又は形状で画定されてもよい。
【００１５】
図２は、一般的には、第１の部分２１０及び第２の部分２２０を有する筐体を含むＳＳＲ２０１の実施形態を例示する。第１の部分２１０は、一般的には、閉鎖バリアとして機能する凹所２３０を画定してもよい。ＳＳＲ２０１は、筐体内に位置し且つ少なくとも部分的に凹所２３０に含まれ得る昇降ネジ４００を含んでもよい。ＳＳＲ２０１は、少なくとも第１のプリント回路基板５００を更に含んでもよく、一般的には、これは相互接続された電子コンポーネントを含んでもよい。
【００１６】
機能モジュール２０２及びＳＳＲ２０１は、機械的保持機構によって取り外し可能に結合されてもよい。所定の例では、保持機構は、こうしたコンポーネントが互いに配置されるときに機能モジュール２０２及びＳＳＲ２０１を固定するために相互作用する、例えば、対応するように形成され且つ配置されるタブ及び溝（例えば、機能モジュール上のタブとＳＳＲ上の対応する溝、凹所又は空洞）等、機能モジュール２０２及びＳＳＲ２０１上に対応する構造及び／又は特徴を備える。所定の例では、保持機構は、１つ以上のスナップ、ファスナ、ネジ山、又はフックを含む。保持機構は、本開示の例示に限定されず、機能モジュール２０２とＳＳＲ２０１との間の取り外し可能な連結を提供する任意の物を含んでもよい。
【００１７】
モジュール式パッケージングは、追加の制御機能を提供することによって従来のソリッドステートリレーの能力を向上又は増大させてもよい。機能モジュールとソリッドステートリレーの異なる組み合わせが独自の利点を提供してもよい。こうした利点は、動作範囲、最大負荷電流、開閉能力、制御電圧範囲を含んでもよい。更に、機能モジュールは、ソリッドステートリレーの性能に関する一意の監視及びフィードバック情報を提供してもよい。特例のリレーに接続される機能モジュールを変更することは、ユーザがそのリレーの性能に関する異なる情報を受信することを可能にしてもよい。
【００１８】
一部の実施形態では、機能モジュール２０２は、ＳＳＲ２０１との接続中に特定の特性又は属性を提供してもよい。異なる実施形態では、機能モジュールにより提供されるこうした特性又は属性は、異なっていてもよい。所定の実施形態では、取り外し可能な結合は、機能モジュール２０１がＳＳＲ２０２から取り外されることを可能にする。次に、ユーザは、ＳＳＲとの連結中に相対的に一意の特性又は属性を提供する異なる機能モジュールを取り付けてもよい。ユーザが望む又はＳＳＲの特定のアプリケーションが要求する機能属性に応じて、異なる機能モジュールが特定のＳＳＲから接続及び分離され得るので、これはモジュール式装置のカスタム化を可能にする。所定の実施形態では、ＳＳＲは、例えば、壁に設置され、キャビネットに収納され、インターロックの一部を形成してもよい。所与のＳＳＲに関して機能モジュールを容易に切り替えることができることによって、ユーザは、独自の目的でモジュール式装置をカスタマイズし得る。所定の実施形態では、機能モジュールは、ＳＳＲの性能に関する情報を監視及びキャプチャするであろう。この情報は、ユーザがキャプチャするために記憶又は表示されてもよい。所定の実施形態では、情報は、ＲＯＭ、フラッシュ、ＲＡＭ等を含む異なる形態のメモリに記憶されてもよい。
【００１９】
所定の実施形態では、筐体の第１の部分２１０及び筐体の第２の部分２２０は、スナップ、ファスナ、ネジ山又はフックを含み得る機械的保持機構により取り外し可能に結合されてもよい。保持機構は、本開示の例示に限定されず、２つの部分の間の取り外し可能な連結を提供する任意の物を含んでもよい。保持機構は、こうした例示に限定されず、２つの部分の間の取り外し可能な連結を提供する任意の物であり得る。他の実施形態では、筐体の第１の部分２１０及び筐体の第２の部分２２０は結合されてもよい。場合によっては、筐体２１０の少なくとも一部が筐体の異なる部分に結合（例えば、固定、溶接等）されてもよい。
【００２０】
機能モジュールにおいて、固体オブジェクトが侵入する危険性を減らすためにモジュールが適切に密封されることが重要である。これは身体部分の潜在的な挿入を含み、これは個人を有害な感電に曝し得る。所定の実施形態では、筐体の第１の部分２１０及び筐体の第２の部分２２０が結合され、且つ機能モジュール２０２及びＳＳＲ２０１が結合される場合、ＳＳＲ２００に結合される機能モジュールは、１つ以上の国際保護規格（例えば、ＩＰ２０規格、全国電機製造業者協会（ＮＥＭＡ）１規格等）に適合するように完全に密封される。例えば、ＩＰ２０規格は、指又は類似のオブジェクト等の１２．５ｍｍよりも大きなオブジェクトの挿入に対する保護を提供する。更に、ＩＰ２０規格等の国際的に認知されている安全性規格に機能モジュールを設計することは、プラスチック壁に置ける重なりを要求すること、従って、潜在的にユーザを感電させる前にエネルギを散逸させるためにエネルギが沿面距離を移動することを要求することによって感電に対する安全性の利益を更に提供する。機能モジュールへの昇降ネジの挿入は、ＩＰ規格の順守及び密封を支援する製品一体性を改善し得る。
【００２１】
図５は、昇降ネジ４００の実施形態を示す。図示のように、昇降ネジは、第１の端部４１０及び第２の端部４２０を有してもよい。第１の端部４１０は、直径４１１及び雄ネジ山４１２を有してもよい。雄ネジ山４１２は、外径及び内径と共に、ピッチ間隔及びリード間隔を画定する。所定の実施形態では、この雄ネジ山４１０は、第１の端部４１０の長さに及んでもよい。他の実施形態では、雄ネジ山４１２は、第１の端部４１０の一部にのみ及んでもよい。更なる実施形態では、雄ネジ山４１２は、ネジ４００の第１の端部４１０の大部分に及んでもよい。異なる実施形態では、雄ネジ山４１２は、ネジ４００の第１の端部４１０の小部分に及んでもよい。異なる実施形態では、雄ネジ山４１２は、第１の端部４１０の半分、３分の１、４分の１、１０分の１、又は別の部分に及んでもよい。所定の実施形態では、雄ネジ山４１２は、第１の端部４１０の上部、中央部、又は底部に位置してもよい。所定の実施形態では、雄ネジ山４１２は、第１の端部４１０の複数の部分、又は全ての部分に及んでもよい。こうした特性の異なる組み合わせが、ネジ４００の異なる物理属性を提供するために使用され得る。一部の実施形態では、雄ネジ山４１２は、８−３２，６−３２，又は1/4−４８のユニファイネジ規格（ＵＴＳ又はＵＮＣ）の規格に設計されてもよい。８−３２ＵＮＣ規格は、０．１６４０インチの外径、０．１２５７インチの内径、及び１インチごとに３２ネジ山を示すであろう。６−３２ＵＮＣ規格は、０．１３６０インチの外径、０．０９９７インチの内径、及び１インチごとに３２ネジ山を示すであろう。1/4−４８ＵＮＣ規格は、０．２５０インチの外径、０．２０６２インチの内径、及び１インチごとに４８ネジ山を示すであろう。
【００２２】
第２の端部４２０は、直径４２１及び雄ネジ山４２２を有してもよい。雄ネジ山４２２は、外径及び内径と共に、ピッチ間隔及びリード間隔を定義する。所定の実施形態では、この雄ネジ山４２２は、第２の端部４２０の長さに及んでもよい。他の実施形態では、雄ネジ山４２２は、第２の端部４２０の一部にのみ及んでもよい。更なる実施形態では、雄ネジ山４２２は、ネジ４００の第１の端部４２０の大部分に及んでもよい。異なる実施形態では、雄ネジ山４２２は、ネジ４００の第２の端部４２０の小部分に及んでもよい。異なる実施形態では、雄ネジ山４２２は、第１の端部４２０の半分、３分の１、４分の１、１０分の１、又は別の部分に及んでもよい。所定の実施形態では、雄ネジ山４２２は、第１の端部４２０の上部、中央部、又は底部に位置してもよい。所定の実施形態では、雄ネジ山４２２は、第１の端部４２０の複数の部分、又は全ての部分に及んでもよい。こうした特性の異なる組み合わせが、ネジの異なる物理属性を提供するために使用され得る。一実施形態では、雄ネジ山４２２は、８−３２，６−３２，又は1/4−４８ＵＮＣ規格に設計されてもよい。
【００２３】
異なる実施形態では、昇降ネジ４００は、フィリップス頭ネジ、平頭ネジ、フリアスンネジ、又はネジ回し等の装置を使用してユーザが昇降ネジを回転させることを可能にする任意の他のタイプのネジ頭として設計されてもよい。
【００２４】
図４に示されているように、筐体の第１の部分２１０は、ボア２１２を更に画定してもよい。ボア２１２は、筐体の第１の部分２１０の外部から凹所２３０へのチャネル２１５を画定してもよい。ボア２１２は、略円筒形のチャネル２１５を画定し得るが、任意の組み合わせのサイズ及び形状を有してもよい。ボア２１２は、昇降ネジ４００の第１の端部４１０を受け入れるように構成されてもよい。所定の実施形態では、ボア２１２は、ボア２１２へのネジ回し又はドリルビット等のオブジェクトの挿入を可能にするために十分な断面積を有してもよく、特に、昇降ネジ４００と係合してもよい。ボア２１２を通る断面積が均一である必要はないことに留意するべきである。例えば、ボア２１２の外側端部は外径を有するが、それからボアはより小さな直径を有する内側端部に向かって内側に先細りする。別の例として、ボア２１２は、直径を減少させる（又は、非円形／円筒状に形成されたボアに関しては、ボアの幅を減少させる）１つ以上の段を画定するように形成されてもよい。
【００２５】
筐体の第２の部分２２０は、開口２２２を更に画定してもよい。開口２２２は、概して凹所２３０に面して配置される開口を有する第１の端部２２５及び凹所２３０から離れて配置される第２の端部２２６を有する溝穴を画定してもよい。開口２２２は、昇降ネジの第２の端部４２０を受け入れるように構成されてもよい。所定の実施形態では、溝穴は略円筒状であってもよいが、他の実施形態では、溝穴は任意の組み合わせの形状及びサイズを有してもよい。開口２２２の断面積が均一である必要はない。図４及び６に示されているように、所定の実施形態では、開口２２２は、端子接続部２２４により更に画定される。
【００２６】
所定の実施形態では、ボア２１２は、雌ネジ山２１３を更に含んでもよい。図２に示されているように、雌ネジ山２１３は、昇降ネジ４００の第１の端部４１０の雄ネジ山４１２を受け入れるように設計されるリード及びピッチ間隔を有してもよい。所定の実施形態では、雌ネジ山２１３はボア２１２の長さに及んでもよく、他の実施形態では、雌ネジ山２１３はボア２１２の一部にのみ及んでもよい。所定の実施形態では、雌ネジ山２１３はボア２１２の長さの大部分に及んでもよいが、他の実施形態では、ボア２１２の長さの小部分に及んでもよい。更なる実施形態では、雌ネジ山２１３は、ボア２１２の長さの半分、３分の１、４分の１、３分の２、４分の３に及んでもよい。所定の実施形態では、雌ネジ山２１３は、筐体自身に画定されるであろう。例えば、一部の実施形態では、筐体は熱可塑性であり、特に、ネジ山２１３は、適切に成形された金型を使用して射出成形工程を介してプラスチックで画定される。他の例では、ネジ山２１３は、追加の機械加工により筐体の材料に付加される。
【００２７】
所定の実施形態では、開口２２２は、雌ネジ山２２３を更に含んでもよい。図３に示されているように、雌ネジ山２２３は、昇降ネジの第２の端部４２０の雄ネジ山４２２を受け入れるように設計されるリード及びピッチ間隔を有してもよい。所定の実施形態では、雌ネジ山２２３は開口２２２の長さに及んでもよいが、他の実施形態では、雌ネジ山２２３は開口２２２の一部にのみ及んでもよい。所定の実施形態では、雌ネジ山２２３は開口２２２の長さの大部分に及んでもよく、他の実施形態では、開口２２２の長さの小部分に及んでもよい。更なる実施形態では、雌ネジ山２２３は、開口２２２の長さの半分、３分の１、４分の１、３分の２、４分の３に及んでもよい。一部の実施形態では、雌ネジ山２２３は、端子接続部２２４にのみ及んでもよい。所定の実施形態では、雌ネジ山２２３は、端子接続部２２４の金属に機械形成されてもよい。所定の実施形態では、雌ネジ山２２３は、筐体自身に画定されるであろう。例えば、一部の実施形態では、筐体は熱可塑性であり、特に、ネジ山２２３は、適切に成形された金型を使用して射出成形工程を介してプラスチックで画定される。他の例では、ネジ山２２３は、追加の機械加工により付加される。
【００２８】
所定の実施形態では、昇降ネジ４００は、第１の位置と第２の位置との間で選択的に変更されてもよい。図２の例に示されるように、第１の位置において、昇降ネジ４００の第１の端部４１０の雄ネジ山４１２は、ボア２１２の雌ネジ山２１３と係合する。所定の実施形態では、第１の位置は、昇降ネジ４００の第２の端部４２０と開口の第２の端部２２６との間の間隙２４０をもたらす。図３の例に示される第２の位置において、昇降ネジ４２０の第２の端部４２０の雄ネジ山４２２は、開口２２２の雌ネジ山２２３と係合する。
【００２９】
所定の実施形態では、昇降ネジ４００の第１の位置は、機能モジュール内にケーブルを設置するために十分な寸法の間隙２４０をもたらす。ケーブルの設置は、異なる配線の組み合わせの設置又は接続を含んでもよい。また、これは、裸線、半田被覆線、線端子、及び／又は１つ以上の他の電線接続の設置を含んでもよい。端子の例は、丸型端子、ブレード端子、フェルール、又は電気コネクタを提供することが可能な任意の他の装置を含む。所定の実施形態では、寸法は、ケーブルの設置及び、端子の除去又は置換を含むケーブルの除去又は置換を可能にするのに十分であろう。
【００３０】
所定の実施形態では、第１の位置から第２の位置への昇降ネジ４００の移動は、ケーブルを所定の位置に保持するための安定化機構として機能する。昇降ネジが第１の位置に有る間にケーブルが挿入された後で、第１の位置と第２の位置との間の昇降ネジの移動は締め付け機構として機能し、昇降ネジ４００の第２の端部４２０と開口２２２の第２の端部２２６との間の間隙２４０を減少させる。所定の実施形態では、ネジの第２の位置は、配線又は端子を含み得るケーブルがその場所で固定されるように、間隙２４０を十分に小さな寸法に減少させるであろう。更なる例では、昇降ネジ４００が第１の位置と第２の位置との間で移動するとき、第１の位置と第２の位置との間に中間位置が有ってもよく、ここでは間隙２４０はケーブルを固定するために十分に小さく且つ昇降ネジ４００はその位置に固定される。異なる実施形態では、ケーブルを固定するのに十分である昇降ネジ４００の位置は、開口に設置されるケーブルの量に依存し、昇降ネジ４００の第２の端部４２０の雄ネジ山が開口２２２の雌ネジ山２２３と係合する任意の位置であってもよい。
【００３１】
所定の実施形態では、昇降ネジ４００は、関連して捕捉されるワッシャ、又は他のやり方で昇降ネジ４００に接続されるワッシャを有してもよい。所定の実施形態では、ワッシャは、例えば、第１の端部４１０における雄ネジ山４１２と第２の端部４２０における雄ネジ山４２２との間で昇降ネジ４００の一部に捕捉されるように、ネジにアセンブルされてもよい。所定の実施形態では、ワッシャは、制限された水平運動が可能であってもよい。異なる実施形態では、この水平運動は、１０分の１インチ、５０分の１インチ、又は任意の他の制限的な寸法に制限されてもよい。所定の実施形態では、ワッシャは、制限された垂直運動が可能であってもよい。所定の実施形態では、昇降ネジが第１の位置に有るとき、ワッシャは、昇降ネジ４００の第１の端部４１０の近くの第１の場所に選択的に固定されてもよい。所定の実施形態では、昇降ネジ４００が第２の位置に有るとき、ワッシャは、昇降ネジ４００の第２の端部４２０の近くの第２の場所に選択的に固定されてもよい。
【００３２】
所定の実施形態では、雄ネジ山４１２及び雄ネジ山４２２は異なっていてもよい。雄ネジ山４１２は、ネジ４１０の第１の端部の雄ネジ山４１２とボア２１２のプラスチックの雌ネジ山２１３との間の円滑な遷移を提供するためにより小さなネジ山規格を有してもよい。雄ネジ山４２２は、昇降ネジ４００が第２の位置に有ってケーブルを安定化させている場合に、安定性を提供するためにより高いネジ山規格を有してもよい。
【００３３】
図６及び７に示されるように、所定の実施形態では、筐体は、筐体の外側から凹所２３０へのチャネル２５０を更に画定してもよい。所定の実施形態では、このチャネル２５０は、機能モジュールの外側から凹所に端子又は配線オプションをユーザが挿入することを可能にしてもよい。一部の実施形態では、このチャネル２５０は、昇降ネジ４００が第１の位置に有る場合に生まれる空間にユーザが配線又は端子を挿入することを可能にするであろう。昇降ネジが第１の位置から第２の位置へと動かされると、それは配線又は端子を所定の場所に固定し、昇降ネジは、チャネル２５０を通じて他に何も凹所に挿入できないようにチャネル２５０をブロックする位置に有るであろう。
【００３４】
このタイプの現在のモジュール式パッケージングは、モジュール内のケーブルを締め付けて安定化させるために一条のネジ山を有するネジを使用する。端子の設置又は取り外しを含むケーブルの設置又は取り外しは、一条ネジが完全に取り外されることを必要とし得る。場合によっては、一条ネジは、筐体が完全に分離されることを必要とする。これは、ケーブルの最小の変化でさえも必要とされる緻密な処理である。更に、一条ネジは取り外されている間に第２のネジ山と係合されないので、一条ネジは緩んで筐体から外れ落ち得る。これは、一条ネジが複数の電気接続を含む電気キャビネット等の周囲環境の中に落ちる可能性が有るので問題を引き起こし得る。そのため、一条ネジは、キャビネット内で失われ、キャビネット内に設置されたコンポーネント内に捉えられ、又は一条ネジが露出した電気接続と接触すると電気的短絡さえも引き起こし得る。
【００３５】
既存の設計に対する所定の実施形態の重要な利点は、昇降ネジ４００が、筐体（例えば、ＳＳＲ、機能モジュールの筐体、安全又は保護カバー等）の分離を必要とせずにケーブルの設置を可能にすることである。昇降ネジ４００は第１の位置及び第２の位置の両方で筐体に保持されるので、ケーブルの設置は、昇降ネジが筐体の中にまだ保持されており且つ筐体の第１の部分２１０及び筐体の第２の部分２２０が結合されたままである間に行われてもよい。更なる例示では、雄ネジ山４１２又は雄ネジ山４２２の少なくとも一部が筐体と係合されるので、昇降ネジ４００は、第１及び第２の位置の間の任意の中間位置に少なくとも部分的に保持されてもよい。ケーブルの設置を望むユーザは、図２の例に示されているように、昇降ネジ４００を第１の位置に動かすために筐体を分離及び取り外しする必要がない。昇降ネジ４００が第１の位置に有る間、配線及び端子を含むケーブルの設置を許容するための十分な空間が有る。所望のケーブルの組み合わせが設置された場合、昇降ネジは、図３の例に示されるように、第２の位置に動かされてもよい。昇降ネジが第２の位置に有る場合、それは締め付け機構として機能して、ケーブル構成を固定し得る。
【００３６】
所定の実施形態では、雄ネジ山４１２及び４２２は異なっていてもよい。これは、異なるピッチサイズ、リードサイズ、外径又は内径を含んでもよい。異なるピッチサイズを有する雄ネジ山を含む異なる実施形態は、対応する雌ネジ山に係合して同じ角速度で移動する場合に異なる直線速度で移動するであろう。異なるピッチサイズを有する２つの雄ネジ山を有する昇降ネジは、同時に対応する雌ネジ山に係合することができず、雌ネジ山に変形及び損傷を引き起こさずに直線方向に移動させるであろう。従って、所定の実施形態では、昇降ネジ４００の長さ、及び雄ネジ山４１２及び４２２の長さは、昇降ネジ４００が第１の位置と第２の位置との間で動かされるとき、ネジの第２の端部４２０の雄ネジ山４２２が開口２２２の雌ネジ山２２３と係合されるのと実質的に同じ位置で、ネジの第１の端部４１０の雄ネジ山４１２がボア２１２の雌ネジ山２１３から係合解除されるのに十分なものであってもよい。他の実施形態では、昇降ネジ４００が第１の位置と第２の位置との間で動かされるとき、ネジ４００の第１の端部４１０の雄ネジ山４１２がボア２１２の雌ネジ山２１３と係合解除される僅かに前に、ネジの第２の端部４２０の雄ネジ山４２２が開口２２２の雌ネジ山２２３から係合解除されてもよい。
【００３７】
製造上の欠陥は、対応するネジ山であっても僅かな差異をもたらすであろう。所定の実施形態では、ボア２１２の雌ネジ山２１３及び開口２２２の雌ネジ山２２３は、僅かに変形可能な材料から作られてもよい。一部の実施形態では、この変形は、１インチごとに最大で５０分の１インチまでであってもよい。これは、機能モジュールを損傷させずにこうした製造上の欠陥を筐体（例えば、ＳＳＲ、機能モジュール、安全カバー等）に考慮させる。
【００３８】
図７に示されているように、一部の実施形態では、筐体に１つより多くの昇降ネジが有る。昇降ネジは、筐体の中の異なる位置に位置付けられてもよい。図８に更に示されているように、所定の実施形態では、筐体の何れかの側に１つより多くの昇降ネジ８００が有ってもよい。
【００３９】
図９に示されているように、一部の実施形態では、ＳＳＲはホッケーパック型リレーであってもよい。一部の実施形態では、機能モジュールは、リレーとのより安定した接続を提供するためにホッケーパック型リレーに対応する形状を有するであろう。
【００４０】
図１０に示されているように、一部の実施形態では、ＳＳＲはホッケーパック型リレーであってもよく、筐体は１つより多くの昇降ネジを含んでもよい。更に、図１０に示されているように、第２の昇降ネジが概して第２の位置に固定されている間に、第１の昇降ネジが概して第１の位置に固定され得るように、昇降ネジは独立して位置間で選択的に変更されてもよい。
【００４１】
所定の実施形態では、機能モジュール及びＳＳＲは、ポリカーボネートを含むプラスチック材料から作られてもよい。所定の他の実施形態では、機能モジュール及びＳＳＲは、樹脂、ガラス、エラストマー、又は付加ポリマーから作られてもよい。機能モジュール及びＳＳＲ材料が、良好な可燃特性を有すること等によって、多くの国際的に認知された安全性規格及び／又は規則の要件に適合することは有益である。一部の実施形態では、材料は自己消化可能であるので、炎は広がらない。材料は、射出成形されることが可能であるべきである。所定の実施形態では、材料は、ボア及び開口内にネジ山を生成するように射出されるであろう。好ましい材料は、適切なせん断強度、及びＵＬ９４Ｖ−０等級等、加熱時に良好な疲労を有するであろう。所定の実施形態では、材料は、０−５００Ｈｚからの振動性荷重、１００ｍ／ｓ2までの加速度、及び１２０oＣまでの温度勾配に曝されることが可能であろう。所定の実施形態では、材料は、−６０oＣから１５０oＣに前処理されてもよい。他の実施形態では、材料は、−５０oＣから１４０oＣに前処理されてもよい。他の実施形態では、材料は、−４０oＣから１２０oＣに前処理されてもよい。
【００４２】
所定の実施形態では、ＳＳＲに関係付けられ得る機能モジュールは、ＳＳＲの端子における電圧を監視するために使用されてもよい。このような機能モジュールは、視覚的指示及び／又は電圧認識装置を含んでもよい。電圧認識装置は、機能モジュール及びＳＳＲが理想的な状態で動作している場合、１つ以上の閾値（例えば、電圧レベル）及び／又は電圧レベルの許容範囲をユーザに入力させ得る入力装置（例えば、ボタン、スイッチ、ロータリースイッチ、電位差計等）を含んでもよい。電圧認識装置は、ＳＳＲ端子において監視されている電圧レベルの指示を提供するために可視的表示器に電気的に接続されてもよい。所定の実施形態では、可視的表示器は、数値表示、発光ダイオード（ＬＥＤ）等の光源、又は白熱電球、又は可視的表示を提供することが可能な他の装置であってもよい。ＳＳＲと機能モジュールとの間の電圧が範囲内に有ると電圧認識装置が決定する場合、電圧認識装置は、電圧が所与の範囲内に有るという表示を発するために可視的表示器に信号を送信してもよい。ＳＳＲ２０１と機能モジュール２０２との間の電圧が所与の範囲内に無いと電圧認識装置が決定する場合、電圧認識装置は、電圧が所与の範囲内に無いという表示を発するために可視的表示器に信号を送信するであろう。所定の実施形態では、可視的表示器は、電圧が正しい範囲内に有る場合に緑等、及び電圧が正しい範囲内に無い場合に赤等の別の色を表示してもよい。こうした表示は、電圧が所与の範囲内に有るかどうかの指示をユーザに提供することが可能な任意の物であってもよいことに留意されたい。所定の実施形態では、機能モジュールは、電圧が正しい範囲の外に有る場合に作動し得るアラーム出力を含んでもよい。
【００４３】
可視的表示器の利点は、それが分解又は手動テストされずにモジュール式装置が監視されることを可能にすることである。上記の通り、機能モジュールを分離すること及び筐体を分解することは、困難且つ退屈な過程であり得る。機能モジュールを強制的に分離することは、配線及びケーブルを露出させる。これは、ユーザに潜在的な危険性を提示し、異物が潜在的に侵入して機能モジュールとＳＳＲとの間の接続を分断する可能性も有る。機能モジュール内に可視的表示器を設置することは、手動テストの潜在的な危険無しでリアルタイムの監視の利点を提供する。更に、可視的表示器はいつでも見ることができるので、ユーザは、任意のテスト又は維持管理を行うこと無く任意のタイプの故障を通知され得る。これは、製品の寿命及び全体の機能を改善するであろう。
【００４４】
本開示は、先に記載され且つ様々な例を参照して添付の図面に開示されている。しかしながら、本開示が果たす目的は、本開示の範囲を限定するのではなく、本開示に関連する様々な特徴及び概念の例を提供することである。当業者であれば、本開示の範囲から逸脱することなく、多くの変形及び修正が上記の例示に行われ得ることを理解するであろう。更に、任意の特定の実施形態を参照して検討された任意の特徴は、上記の装置の任意の他の実施形態の特徴であってもよく、その逆であってもよい。
【図１】
2017216223.tif 000003
【図２】
2017216223.tif 000004
【図３】
2017216223.tif 000005
【図４】
2017216223.tif 000006
【図５】
2017216223.tif 000007
【図６】
2017216223.tif 000008
【図７】
2017216223.tif 000009
【図８】
2017216223.tif 000010
【図９】
2017216223.tif 000011
【図１０】
2017216223.tif 000012
【図１１】
2017216223.tif 000013
【外国語明細書】
2017216223000001.pdf